(57)【特許請求の範囲】
【請求項１】
基板への取付けを行い得るように構成された電気音響変換器であって、
ケーシングと、このケーシングにおける基板対向面から離れた位置に固定された端子プレートと、上記基板への取付けが行われたとき、上記端子プレートを上記基板の導電部に導通させるように構成されたコイルバネと、を備えてなる電気音響変換器において、
上記ケーシングに、該ケーシングの基板対向面から上記端子プレートまで延びる筒状凹部が形成されており、
上記コイルバネのコイル長が上記筒状凹部の筒長よりも所定寸法長い値に設定されており、
上記コイルバネのコイル径が、上記筒状凹部の内径よりも所定寸法小さい値でかつ該コイルバネの端子プレート側端部よりも基板側端部の方が小さい値に設定されており、
上記筒状凹部の基板側端部に、該筒状凹部の内径を上記コイルバネの端子プレート側端部のコイル径よりも小径にする小径リング部が設けられており、
上記コイルバネが上記基板に押し付けられた状態で両者間に横ズレが生じたとき、上記コイルバネが上記筒状凹部内において横方向に平行移動するよう、上記コイルバネが、上記端子プレートおよび上記ケーシングに固定されることなく上記筒状凹部内に収容保持されている、ことを特徴とする請求項１記載の電気音響変換器。
【請求項２】
上記小径リング部が、上記ケーシングを塑性変形させることにより該ケーシングと一体で形成されている、ことを特徴とする請求項１記載の電気音響変換器。
【発明の詳細な説明】
【０００１】
【発明の属する技術分野】
本願発明は、基板への取付けを行い得るように構成された電気音響変換器に関するものである。
【０００２】
【従来の技術】
小型のスピーカやマイクロホン等の電気音響変換器は、基板への取付けを行い得るように構成されているものが多い。このような電気音響変換器においては、端子プレートがケーシングにおける基板対向面から離れた位置に固定されるので、この端子プレートを基板の導電部に導通させるための導通部材が必要になる。
【０００３】
この導通部材の１つとして、従来より、電気音響変換器を基板に取り付けたとき、端子プレートと基板の導電部との間に弾性圧縮変形した状態で介装されるように構成されたコイルバネが知られている（例えば、特開２００１−２４２８７１号公報参照）。
【０００４】
図８（ａ）は、このようなコイルバネを有する従来の電気音響変換器の要部を示す断面図である。
【０００５】
図示のように、この電気音響変換器においては、ケーシング１０２に、その基板対向面１０２ａから端子プレート１０４まで延びる筒状凹部１０２ｂが形成されており、この筒状凹部１０２ｂにコイルバネ１０６が挿入されるようになっている。その際、端子プレート１０４における筒状凹部１０２ｂに露出する位置には、貫通孔１０４ａが形成されており、一方、コイルバネ１０６の一端部には、ピン状突起部１０６ａがコイル軸線方向に延びるように延長形成されている。そして、このピン状突起部１０６ａが貫通孔１０４ａに挿通された状態で、その先端部分においてハンダ１０８により端子プレート１０４に固定されている。
【０００６】
【発明が解決しようとする課題】
しかしながら、上記従来の電気音響変換器は、基板への取付態様によっては、次のような問題が生じてしまう。
【０００７】
すなわち、上記電気音響変換器が装着された携帯電話機等においては、これを組み付ける際、ケーシング１０２の上面（基板対向面１０２ａとは反対側の面）を携帯電話機等における上ケースの内壁面に両面テープで貼り付け、この状態で上ケースと共に電気音響変換器を基板に押し付けるようにして基板への取付けが行われるようになっている。その際、位置合わせ等のために、電気音響変換器のコイルバネ１０６と基板との間で横ズレが生じることが多い。このため、コイルバネ１０６のピン状突起部１０６ａの基端部には横ズレによる応力集中が生じやすくなる。
【０００８】
例えば、図８（ｂ）に示すように、コイルバネ１０６が基板２への当接により弾性圧縮変形した状態で、ケーシング１０２が基板２に対して左方向に横ズレした場合を想定する。このとき、端子プレート１０４にハンダ付け固定されたコイルバネ１０６のピン状突起部１０６ａはケーシング１０２と共に左方向へ変位する。一方、コイルバネ１０６の基板当接部１０６ｂは基板２に圧接された状態にあるので、左方向へ変位することなく元の位置に残ったままとなる。このため、コイルバネ１０６には図示のような横ズレ変形が生じてしまい、これによりピン状突起部１０６ａの基端部（図中破線の円で示す部分）には大きな曲げモーメントが作用するので、該基端部に応力集中が生じやすくなる。
【０００９】
このため、上記従来の電気音響変換器においては、基板への取付けの際にコイルバネ１０６が破損してしまうおそれがあり、また、破損しなかった場合でも、基板への取付状態での耐久性が低下してしまうおそれがある。
【００１０】
本願発明は、このような事情に鑑みてなされたものであって、基板への取付けを行い得るように構成された電気音響変換器において、その端子プレートを基板の導電部に導通させるための導通部材としてコイルバネを用いた場合であっても、コイルバネの破損防止および耐久性向上を図ることができる電気音響変換器を提供することを目的とするものである。
【００１１】
【課題を解決するための手段】
本願発明は、コイルバネを、従来のように端子プレートに固定したりあるいはケーシングに固定したりすることなく筒状凹部内に収容保持する構成を採用することにより、上記目的達成を図るようにしたものである。
【００１２】
すなわち、本願発明に係る電気音響変換器は、
基板への取付けを行い得るように構成された電気音響変換器であって、
ケーシングと、このケーシングにおける基板対向面から離れた位置に固定された端子プレートと、上記基板への取付けが行われたとき、上記端子プレートを上記基板の導電部に導通させるように構成されたコイルバネと、を備えてなる電気音響変換器において、
上記ケーシングに、該ケーシングの基板対向面から上記端子プレートまで延びる筒状凹部が形成されており、
上記コイルバネのコイル長が上記筒状凹部の筒長よりも所定寸法長い値に設定されており、
上記コイルバネのコイル径が、上記筒状凹部の内径よりも所定寸法小さい値でかつ該コイルバネの端子プレート側端部よりも基板側端部の方が小さい値に設定されており、
上記筒状凹部の基板側端部に、該筒状凹部の内径を上記コイルバネの端子プレート側端部のコイル径よりも小径にする小径リング部が設けられており、
上記コイルバネが上記基板に押し付けられた状態で両者間に横ズレが生じたとき、上記コイルバネが上記筒状凹部内において横方向に平行移動するよう、上記コイルバネが、上記端子プレートおよび上記ケーシングに固定されることなく上記筒状凹部内に収容保持されている、ことを特徴とするものである。
【００１３】
上記「電気音響変換器」は、基板への取付けを行い得るように構成されたものであれば、その種類は特に限定されるものではなく、例えば、小型のスピーカ、ブザー、マイクロホン、レシーバ等が採用可能である。
【００１４】
上記「基板」は、コイルバネを介して端子プレートと導通可能な導電部が形成されたものであれば、特定種類の基板に限定されるものではない。
【００１５】
上記「ケーシング」は、端子プレートをその基板対向面から離れた位置に固定するように構成されたものであれば、その具体的構成は特に限定されるものではない。また、このケーシングの「基板対向面」は、電気音響変換器を基板へ取り付ける際に基板と対向する面であれば、基板への取付状態において、基板と当接するように形成された面であってもよいし、基板から多少離れるように形成された面であってもよい。
【００１６】
上記「筒状凹部」は、ケーシングの基板対向面から端子プレートまで延びるように形成されたものであれば、その断面形状や長さ等は特に限定されるものではなく、また、必ずしもその全周に周壁面が形成されている必要はない。
【００１７】
上記「コイルバネ」は、導電性を有する材料からなり、かつ、端子プレートおよびケーシングに固定されることなく筒状凹部内に収容保持されたものであれば、その具体的形状等は特に限定されるものではない。ここで「筒状凹部内に収容保持された」とは、コイルバネが無負荷状態において筒状凹部から脱落しない態様で部分的に筒状凹部内に収容されていることを意味するものであって、これを実現するための具体的構成については特に限定されるものではない。
【００１８】
上記コイルバネの「コイル長」は、筒状凹部の筒長よりも長く、かつ電気音響変換器を基板に取り付けたときに端子プレートと基板の導電部とを確実に導通させることができる程度に弾性圧縮変形する長さであれば、その具体的な値は特に限定されるものではない。また、上記コイルバネの「コイル径」は、筒状凹部の内径よりも小さく、かつ、筒状凹部内におけるコイルバネの弾性圧縮変形および横方向への平行移動に支障を来たさない径であれば、その具体的な値は特に限定されるものではない。
【００１９】
【発明の作用効果】
上記構成に示すように、本願発明に係る電気音響変換器は、基板への取付けが行われたとき、ケーシングにおける基板対向面から離れた位置に固定された端子プレートを、基板の導電部に導通させるコイルバネを備えているが、ケーシングにはその基板対向面から端子プレートまで延びる筒状凹部が形成されており、また、コイルバネのコイル長は筒状凹部の筒長よりも所定寸法長い値に設定されるとともに、コイルバネのコイル径は、その筒状凹部の内径よりも所定寸法小さい値でかつ該コイルバネの端子プレート側端部よりも基板側端部の方が小さい値に設定されており、さらに、筒状凹部の基板側端部には、その内径をコイルバネの端子プレート側端部のコイル径よりも小径にする小径リング部が設けられており、そして、コイルバネが基板に押し付けられた状態で両者間に横ズレが生じたとき、コイルバネが筒状凹部内において横方向に平行移動するよう、コイルバネが端子プレートおよびケーシングに固定されることなく筒状凹部内に収容保持された構成となっているので、次のような作用効果を得ることができる。
【００２０】
すなわち、コイルバネが端子プレートおよびケーシングに固定されることなく筒状凹部内に収容保持されているので、コイルバネに外力が作用してもコイルバネに局部的な負荷がかからないようにすることができる。
【００２１】
このため、電気音響変換器を基板に取り付ける際、コイルバネが基板に押し付けられた状態で、コイルバネと基板との間で横ズレが生じたとしても、コイルバネは、筒状凹部内において横方向に平行移動してそのコイル外周部が筒状凹部の周壁面に当接するだけであり、従来のようにコイルバネの一部に横ズレ変形に伴う応力集中が生じてしまうことはない。したがって、基板への取付けの際にコイルバネが破損してしまうおそれがなく、また、基板への取付状態での耐久性が低下してしまうおそれもなくなる。
【００２２】
このように本願発明によれば、基板への取付けを行い得るように構成された電気音響変換器において、その端子プレートを基板の導電部に導通させるための導通部材としてコイルバネを用いた場合であっても、コイルバネの破損防止および耐久性向上を図ることができる。
【００２３】
しかも本願発明においては、従来のようにコイルバネを端子プレートにハンダ付けにより固定する必要がないので、電気音響変換器の組付工程を簡略化することができる。また、従来のようにハンダ付けのために形成されたピン状突起部を端子プレートの貫通孔に挿入するために、コイルバネと筒状凹部との位置合わせを行う必要もなくなり、この点においても電気音響変換器の組付工程を簡略化することができる。さらに、ハンダ付けの際に発生する熱により周辺の樹脂製部材を変形させてしまうといったおそれがなく、また、ハンダ付けの不要化により電気音響変換器を鉛フリーの製品とすることができる。
【００２６】
また、本願発明に係る電気音響変換器は、そのコイルバネのコイル径が、その端子プレート側端部よりも基板側端部の方が小さい値となるように設定されており、ケーシングにおける筒状凹部の基板側端部に、該筒状凹部の内径をコイルバネの端子プレート側端部のコイル径よりも小径にする小径リング部が設けられているので、端子プレートに貫通孔を形成することを必要とせずに、コイルバネを筒状凹部内に収容保持することができる。この場合において、「端子プレート側端部よりも基板側端部の方が小さい値となるように設定する」ための具体的構成としては、例えば、端子プレート側端部から基板側端部へ向けて段階的にコイル径が小さくなるようにした構成、あるいは、端子プレート側端部から基板側端部へ向けて円錐状に徐々にコイル径が小さくなるようにした構成、さらには、端子プレート側端部から途中部分までは円筒状に形成するとともに途中部分から基板側端部へ向けて円錐状に徐々にコイル径が小さくなるようにした構成等が採用可能である。
【００２７】
その際、上記「小径リング部」は、ケーシングとは別体で構成されたリング部材を筒状凹部に圧入等により固定するようにしてもよいが、ケーシングを塑性変形させることにより該ケーシングと一体で形成するようにしてもよい。
【００２８】
【発明の実施の形態】
以下、図面を用いて、本願発明の実施の形態について説明する。
【００２９】
図１は、本願発明の一実施形態に係る電気音響変換器１０を示す平面図であり、図２および３は、図１のII-II 線断面図およびIII 部詳細図である。
【００３０】
これらの図に示すように、本実施形態に係る電気音響変換器１０は、小型（外径１５〜２０ｍｍ程度）のダイナミックスピーカであって、携帯電話機等の基板２に取り付けられた状態で使用されるようになっている。
【００３１】
このスピーカ１０は、フレームサブアッシ１２に、その上方から振動板１４およびカバー１６が装着されるとともに、その下方から磁気回路ユニット１８が装着されてなっている。
【００３２】
フレームサブアッシ１２は、フレーム２０（ケーシング）と、１対の端子プレート２２と、ボイスコイル２４とからなっている。
【００３３】
フレーム２０は、ポリアミド系の合成樹脂材料からなる射出成形品であって、その中央部には円形開口部２０ａが形成されており、この円形開口部２０ａの周囲に位置する環状底面部２０Ａと、この環状底面部２０Ａの外周縁から上方へ延びる周壁面部２０Ｂとを備えてなっている。そして、このフレーム２０における周壁面部２０Ｂの内周側には、環状底面部２０Ａよりも一段高い環状段上がり部２０Ｃが形成されており、また、周壁面部２０Ｂの外周側には、左右１対の端子埋設部２０Ｄが角張って張り出すように形成されている。
【００３４】
フレーム２０の下面は、各端子埋設部２０Ｄにおいては磁気回路ユニット１８の下面と略面一に設定されており、その他の部分においては磁気回路ユニット１８の下面よりも上方に位置している。そして、フレーム２０の各端子埋設部２０Ｄにおける下面２０ｂが、電気音響変換器１０を基板２に取り付ける際に基板２の導電部２ａと当接する基板対向面を構成している。
【００３５】
各端子プレート２２は、金属板のプレスおよび曲げ加工品として構成されており、インサート成形によりフレーム２０と一体的に形成されている。これら各端子プレート２２は、環状底面部２０Ａから各端子埋設部２０Ｄまで延びている。
【００３６】
各端子プレート２２における環状底面部２０Ａに位置する部分は、該環状底面部２０Ａの上面に沿って延びるランド部２２Ａを構成している。一方、各端子プレート２２における各端子埋設部２０Ｄに位置する部分は、ランド部２２Ａよりも一段高い位置でフレーム２０に埋設されるようにして水平に延びており、部分的にフレーム２０から露出している。
【００３７】
すなわち、フレーム２０の各端子埋設部２０Ｄは、各端子プレート２２の上方部分が略三角形に切り欠かれて切欠き部２０ｃを構成しており、これにより各端子プレート２２には上面露出部２２Ｂが形成されている。各端子埋設部２０Ｄにおける上面露出部２２Ｂの下方部分には、フレーム２０の基板対向面２０ｂから各端子プレート２２まで円柱状に延びる筒状凹部２０ｄが形成されている。各端子プレート２２における筒状凹部２０ｄの中心位置には、円形の貫通孔２２ａが形成されている。そして、各筒状凹部２０ｄ内には、コイルバネ４０が各端子プレート２２およびフレーム２０に固定されることなく収容保持されている（これについては後述する）。
【００３８】
ボイスコイル２４は、その上端がフレーム２０の環状段上がり部２０Ｃの上面と面一となるようにして円形開口部２０ａ内に配置されている。そして、このボイスコイル２４の上端部から延出する１対のリード線２６が、その先端部近傍部位において各端子プレート２２のランド部２２Ａに熱圧着により導通固定されている。これら各導通固定部にはオーバコート３４が施されている。
【００３９】
振動板１４は、同心円状に形成された複数の凹凸を有するダイヤフラム状の部材であって、ポリエーテルイミド（ＰＥＩ）製の合成樹脂フィルムに熱プレス成形を施すことにより形成されている。そして、この振動板１４は、その外周縁平坦部においてフレーム２０の環状段上がり部２０Ｃの上面に接着固定されるとともに、その中間平坦部においてボイスコイル２４の上端に接着固定されている。
【００４０】
カバー１６は、ステンレス鋼製の金属板のプレス成形品であって、その環状フランジ部において、振動板１４の外周縁平坦部およびフレーム２０の環状段上がり部２０Ｃの上面に接着固定されている。
【００４１】
磁気回路ユニット１８は、鋼製のベース２８と、マグネット３０と、鋼製のヨーク３２とからなり、フレーム２０に接着固定されている。
【００４２】
図４は、図３のIV-IV 線断面図であって、同図（ａ）は電気音響変換器１０が基板２に取り付けられていない状態、同図（ｂ）は電気音響変換器１０が基板２に取り付けられている状態を示す図である。
【００４３】
なお、コイルバネ４０およびその周辺構造は、電気音響変換器１０の左右両側いずれも同様であるので、以下においては左側に位置するコイルバネ４０およびその周辺構造についてのみ説明する。
【００４４】
図示のように、コイルバネ４０は、コイル部４０Ａと、その上端部（端子プレート側端部）４０Ａａの中心位置から上方へピン状に延びるように延長形成されたピン状突起部４０Ｂとからなっている。
【００４５】
コイル部４０Ａは、その全長がフレーム２０の筒状凹部２０ｄの筒長よりも所定寸法長い値に設定されており、その巻径が筒状凹部２０ｄの内径よりも所定寸法小さい値に設定されている。また、ピン状突起部４０Ｂは、端子プレート２２の貫通孔２２ａを貫通して上方へ延びており、その先端部分４０Ｂａが略直角に折り曲げられている。
【００４６】
同図（ａ）に示すように、電気音響変換器１０が基板２に取り付けられていない状態では、コイルバネ４０は無負荷状態となっている。このときコイルバネ４０は、そのピン状突起部４０Ｂにおいて端子プレート２２に係止されるようにして筒状凹部２０ｄ内に吊り下げられた状態となっている。なお、貫通孔２２ａの内径は、コイル部４０Ａが筒状凹部２０ｄ内においてその周壁面に当接する位置までコイルバネ４０が片側に寄ってしまった場合においても、ピン状突起部４０Ｂが貫通孔２２ａの周壁面に当接しない大きさに設定されている。一方、ピン状突起部４０Ｂの先端部分４０Ｂａの長さは、貫通孔２２ａからピン状突起部４０Ｂが抜け落ちてしまわない長さに設定されている。
【００４７】
一方、同図（ｂ）に示すように、電気音響変換器１０が基板２に取り付けられた状態では、コイルバネ４０は弾性圧縮変形した状態となる。このときコイルバネ４０は、そのコイル部４０Ａの上端部４０Ａａおよび下端部４０Ａｂが、端子プレート２２および基板２の導電部２ａに各々圧接されており、これにより端子プレート２２と基板２の導電部２ａとの導通を確実に図るようになっている。
【００４８】
次に、本実施形態の作用効果について説明する。
【００４９】
すでに述べたように、電気音響変換器１０を基板２に取り付ける際には、電気音響変換器１０のコイルバネ４０と基板２との間で横ズレが生じることが多い。
【００５０】
しかしながら、本実施形態に係る電気音響変換器１０は、コイルバネ４０が端子プレート２２およびフレーム２０に固定されることなく筒状凹部２０ｄ内に収容保持されているので、コイルバネ４０に外力が作用してもコイルバネ４０に局部的な負荷がかかることはない。
【００５１】
このため、図４（ｂ）に示すように、電気音響変換器１０を基板２に取り付ける際、コイルバネ４０が基板２に押し付けられた状態で、コイルバネ４０と基板２との間で横ズレが生じたとしても、コイルバネ４０は、筒状凹部２０ｄ内において横方向に平行移動してそのコイル部４０Ａが筒状凹部２０ｄの周壁面に当接するだけであり、従来のようにコイルバネの一部に横ズレ変形に伴う応力集中が生じてしまうことはない。したがって、基板２への取付けの際にコイルバネ４０が破損してしまうおそれがなく、また、基板２への取付状態での耐久性が低下してしまうおそれもなくなる。
【００５２】
このように本実施形態によれば、端子プレート２２を基板２の導電部２ａに導通させるための導通部材としてコイルバネ４０を用いた場合であっても、コイルバネ４０の破損防止および耐久性向上を図ることができる。
【００５３】
しかも本実施形態においては、従来のようにコイルバネ４０を端子プレート２２にハンダ付けにより固定する必要がないので、電気音響変換器１０の組付工程を簡略化することができる。また、従来のようにハンダ付けのために形成されたピン状突起部を端子プレートの貫通孔に挿入するために、コイルバネと筒状凹部との位置合わせを行う必要もなくなり、この点においても電気音響変換器１０の組付工程を簡略化することができる。さらに、ハンダ付けの際に発生する熱により、周辺の樹脂製部材（フレーム２０や振動板１４等）を変形させてしまうといったおそれがなく、また、ハンダ付けの不要化により電気音響変換器１０を鉛フリーの製品とすることができる。
【００５４】
特に本実施形態においては、端子プレート２２における筒状凹部２０ｄの中心位置に、コイルバネ４０の線径よりも所定寸法大きい内径を有する貫通孔２２ａが形成される一方、コイル部４０Ａの上端部には貫通孔２２ａに挿通されるようにして上方へピン状に延びるピン状突起部４０Ｂが延長形成されるとともに、ピン状突起部４０Ｂの先端部分４０Ｂａが略直角に折り曲げられているので、端子プレート２２への係止によりコイルバネ４０の筒状凹部２０ｄからの脱落防止を図ることができ、これにより極めて簡単な構成でコイルバネ４０を筒状凹部２０ｄ内に収容保持することができる。しかも、貫通孔２２ａは、コイルバネ４０が筒状凹部２０ｄ内において横方向に平行移動したとき、そのコイル部４０Ａが筒状凹部２０ｄの周壁面に当接するまで、そのピン状突起部４０Ｂが貫通孔２２ａの周壁面に当接しない大きさに設定されているので、コイルバネ４０に横ズレ変形を全く生じさせないようにすることができる。
【００５５】
その際、図５（ａ）に示すように、端子プレート２２とピン状突起部４０Ｂの先端部分４０Ｂａとの間に、端子プレート２２の貫通孔２２ａよりも小径の中心孔４２ａを有するリング状プレート４２を、その中心孔４２ａにピン状突起部４０Ｂを挿通させるようにして配置すれば、ピン状突起部４０Ｂの先端部分４０Ｂａを大きく折り曲げなくてもピン状突起部４０Ｂが端子プレート２２の貫通孔２２ａから抜け落ちてしまうのを防止することができる。なお、このようにピン状突起部４０Ｂの先端部分４０Ｂａを折り曲げる代わりに、この先端部分４０Ｂａをリング状プレート４２に対して接着剤等を用いて固定することも可能である。
【００５６】
このようにした場合においても、同図（ｂ）に示すように、コイルバネ４０と基板２との間で横ズレが生じたとき、コイルバネ４０は、筒状凹部２０ｄ内において横方向に平行移動してそのコイル部４０Ａが筒状凹部２０ｄの周壁面に当接するので、上記実施形態と同様の作用効果を得ることができる。
【００５７】
あるいは、図６（ａ）に示すように、上部の大径部５０Ａと、それ以外の小径部５０Ｂとからなるコイルバネ５０を用いるとともに、フレーム２０における筒状凹部２０ｄの下端部に、内径がコイルバネ５０の大径部５０Ａよりも小さいリング部材５２（小径リング部）を圧入固定することによっても、コイルバネ５０を端子プレート２２およびフレーム２０に固定することなく筒状凹部２０ｄ内に収容保持することができる。しかもこの場合、端子プレート２２に貫通孔２２ａを形成することを必要とせずに、コイルバネ５０を筒状凹部２０ｄ内に収容保持することができる。
【００５８】
このようにした場合においても、同図（ｂ）に示すように、コイルバネ５０と基板２との間で横ズレが生じたとき、コイルバネ５０は、筒状凹部２０ｄ内において横方向に平行移動してその小径部５０Ｂがリング部材５２の周壁面に当接するので、上記実施形態と同様の作用効果を得ることができる。なお、コイルバネ５０が筒状凹部２０ｄ内において横方向に平行移動したとき、その大径部５０Ａが筒状凹部２０ｄの周壁面に当接するように、コイルバネ５０およびリング部材５２の形状を設定することも可能である。
【００５９】
また、上記コイルバネ５０に代えて、図７（ａ）に示すように、上部が円筒部６０Ａとして形成されるとともに下部が下方へ向けて徐々にコイル径が小さくなる円錐部６０Ｂとして形成されたコイルバネ６０を用いるようにした場合においても、同様の作用効果を得ることができる。
【００６０】
その際、さらに、筒状凹部２０ｄの下端部に上記リング部材５２を圧入固定する代わりに、図７（ａ）に示すように、フレーム２０の基板対向面２０ｂにおける筒状凹部２０ｄの周辺部を塑性変形させて、筒状凹部２０ｄ内へリング状に膨出するリング状膨出部２０ｅ（小径リング部）を形成することによっても、リング部材５２を圧入固定した場合と同様の作用効果を得ることができる。しかもこのようにした場合、小径リング部がフレーム２０と一体で形成されることとなるので、部品点数を削減することができる。なお、リング状膨出部２０ｅを形成するための塑性変形加工は、例えば、先端部が断面楔形でリング状に形成された超音波ホーン４をフレーム２０の基板対向面２０ｂにおける筒状凹部２０ｄの周辺部に押し当てることにより行うことができる。
【００６１】
このようにした場合においても、同図（ｂ）に示すように、コイルバネ６０と基板２との間で横ズレが生じたとき、コイルバネ６０は、筒状凹部２０ｄ内において横方向に平行移動してその円筒部６０Ａが筒状凹部２０ｄの周壁面に当接するので、上記実施形態と同様の作用効果を得ることができる。
【００６２】
なお、上記実施形態およびその各変形例において、コイルバネ４０、５０、６０に金メッキ等を施すようにすれば、その導電性を高めることができる。また、端子プレート２２における筒状凹部２０ｄに露出する部分にも金メッキ等を施すようにすれば、導電性を一層高めることができる。
【図面の簡単な説明】
【図１】本願発明の一実施形態に係る電気音響変換器を示す平面図
【図２】図１のII-II 線断面図
【図３】図１のIII 部詳細図
【図４】図３のIV-IV 線断面図であって、同図（ａ）は電気音響変換器が基板に取り付けられていない状態、同図（ｂ）は電気音響変換器が基板に取り付けられている状態を示す図
【図５】上記実施形態の第１変形例を示す、図４と同様の図
【図６】上記実施形態の第２変形例を示す、図４と同様の図
【図７】上記実施形態の第３変形例を示す、図４と同様の図
【図８】従来例を示す、図４と同様の図
【符号の説明】
２  基板
２ａ  導電部
４  超音波ホーン
１０  電気音響変換器（ダイナミックスピーカ）
１２  フレームサブアッシ
１４  振動板
１６  カバー
１８  磁気回路ユニット
２０  フレーム（ケーシング）
２０Ａ  環状底面部
２０Ｂ  周壁面部
２０Ｃ  環状段上がり部
２０Ｄ  端子埋設部
２０ａ  円形開口部
２０ｂ  下面（基板対向面）
２０ｃ  切欠き部
２０ｄ  筒状凹部
２０ｅ  リング状膨出部（小径リング部）
２２  端子プレート
２２Ａ  ランド部
２２Ｂ  上面露出部
２２ａ  貫通孔
２４  ボイスコイル
２６  リード線
２８  ベース
３０  マグネット
３２  ヨーク
３４  オーバコート
４０  コイルバネ
４０Ａ  コイル部
４０Ａａ  上端部（端子プレート側端部）
４０Ａｂ  下端部（基板側端部）
４０Ｂ  ピン状突起部
４０Ｂａ  先端部分
４２  リング状プレート
４２ａ  中心孔
５０  コイルバネ
５０Ａ  大径部
５０Ｂ  小径部
５２  リング部材
６０  コイルバネ
６０Ａ  円筒部
６０Ｂ  円錐部
【図１】
0003821280.tif 000002
【図２】
0003821280.tif 000003
【図３】
0003821280.tif 000004
【図４】
0003821280.tif 000005
【図５】
0003821280.tif 000006
【図６】
0003821280.tif 000007
【図７】
0003821280.tif 000008
【図８】
0003821280.tif 000009